(57)【特許請求の範囲】
【請求項１】
ロック体と可動片間の動きが仮止めされた扉錠であって、前記ロック体は、前記可動片の操作に伴なって当該可動片との前記仮止めが解放され、扉のハンドルをロックする方向に移動可能になることを特徴とする扉錠。
【請求項２】
前記ロック体と可動片間を離脱可能に仮止めしてなるもの、又は前記ロック体とケース間若しくは可動片とケース間を離脱可能に仮止めして前記ロック体と可動片間を間接的に仮止めしてなるものであることを特徴とする請求項１に記載の扉錠。
【発明の詳細な説明】
【０００１】
【発明が属する技術分野】
本発明は、扉をその内側からロックするときに使用する扉錠に関する。
【０００２】
【従来の技術】
例えば部屋などの扉の内側には、所謂サムターンが取り付けられており、かかるサムターンを回動操作して当該扉をロックする扉錠は、従来から種々ある。
例えば、特開平９−１６５９５８に開示のドア錠においては、ロックカムが施錠位置にあるときは、サムターンの回転に連動する上記ロックカムによってロックプレートがラッチボルトに当接するとともに、当該ラッチボルトを介してラッチカムのカムアームにも当接するようになっているので、レバーハンドルの回転は阻止される。
しかるに、ロックカムが施錠位置にないときには、ロックプレート及び当該ロックプレートを介してロックカムは、ロックバネにより当該ロックプレートがラッチボルトに当接しないように保持される。したがって、レバーハンドル操作に連動するラッチカムのカムアームがラッチボルトに係合し、レバーハンドルの回転によりラッチボルトが錠ケース内に没入移動するようになって扉が開く。
【０００３】
【発明が解決しようとする課題】
しかしながら、上記例を含めて従来の扉錠においては、ロックプレートがロックバネだけでラッチボルトに当接しないように保持されている。そのため、扉錠が組み込まれた取付金具の移送時、或いは当該取付金具の扉への施工時等の、例えば衝撃などの原因により、ロックプレートがラッチボルトに当接する方向に回転するおそれがあり、ロックプレートが回転した状態で施工されたときはレバーハンドルを回転させることができなくなったり、また、上記例のドア錠では、閉じ込みが生じてしまったりすることがあり、利便性に欠けるところがある。尚、閉じ込みとは、例えば、扉錠を操作したまま部屋から出てうっかり扉を閉めてしまったために扉が施錠されてしまう状態である。
また、扉には扉錠付きタイプのものと扉錠無しタイプのものとがあるが、上記例で言えば、ロックプレートをロックバネによりラッチボルトに当接しないように保持してロックカムを操作できない状態にしておけば、扉錠付きタイプのものを扉錠無しタイプのものに流用できる。しかるに、上述のように何らかの原因により、ロックプレートがラッチボルトに当接する方向に回転し、この状態で施工されたときは、レバーハンドルを回転させることができなくなる。このため、両タイプのものの共用が難くなり使い勝手を悪くしている。
【０００４】
本発明の目的は、移送時や施工時などの際の利便性に優れ、また、扉錠付きタイプと扉錠無しタイプとに共用できて使い勝手がよい扉錠を提供することにある。
【０００５】
【課題を解決するための手段】
上記課題を解決するために、本発明の請求項１に係る扉錠は、ロック体と可動片間の動きが仮止めされた扉錠であって、ロック体は、可動片の操作（回転又は移動）に伴なって当該可動片との上記仮止めが解放され、扉のハンドルをロックする方向に移動可能になるようにしたものである。
本扉錠によれば、本扉錠が組み込まれた取付金具の移送時、或いは当該取付金具の扉への施工時において、ロック体と可動片間の動きが仮止めされているために、ロック体（上記例で言えば、ロックプレートに相当）が移動することはなく、したがって、扉のハンドルがロックされるようなことは生じない。また、本扉錠においては、扉錠付きタイプの扉と扉錠無しタイプの扉の両タイプの扉に共用することができ、例えば扉錠無しタイプの扉に対しては施工後もロック体と可動片の動きが仮止めされたままで使用すればよく、仮止めされているために、例えば何らかの原因で衝撃を受けてもロック体が移動することはなく、したがって、扉のハンドルがロックされるようなことは生じない。
【０００６】
本発明の請求項２に係る扉錠では、ロック体と可動片間の動きが仮止めする形態として、ロック体と可動片間を離脱可能なように仮止めしたもの、或いは、ロック体と可動片間でなく、ロック体とケース間又は可動片とケース間を離脱可能なように仮止めして間接的にロック体と可動片間を仮止めしたものであり、いずれの形態を採るかは、ロック体や可動片の部材形状などによって適宜決めればよい。
【０００７】
【発明の実施の形態】
本発明の第１の実施の形態に係る扉錠を図１〜４を参照して説明する。
本扉錠１は、図１に示すような扉２の凹部に取り付けられた取付金具３内に組み込まれる装置である。
取付金具３は、ケース本体４とケースカバー（図示せず）とで構成される平たい直方体箱ケース内に、本扉錠１等を組み込んだものである。かかるケース本体４の側板のうち一側板４ａは、その両端に取付ボルト孔（図示せず）を有するフランジ部が張り出していて他の側板より大き目に形成されている。そして、取付金具３は、この一側板４ａの上記取付ボルト孔を通して扉２に螺着されるボルト（図示せず）によって当該扉２の凹部前面に取り付けられる。この一側板４ａの略中央には、貫通孔４ｂが穿設されており、扉２のレバーハンドル（図示せず）が操作されていないときは、同図のようにこの貫通孔４ｂから後述するラッチ体１０の頭部１０ａが突出した状態となる。
【０００８】
取付金具３に組み込まれる部材のうちカム体５は、レバーハンドルの角芯棒（図示せず）が嵌挿される角孔５ａ１を有する略矩形体５ａと、この矩形体５ａの片側面から図１中では下方に突出する突条５ｂと、この突条５ｂとは反対の側面で、その片方端から上方に突出する一対のアーム５ｃ（同図では片方のみ図示されている）とで構成される。このようなカム体５は、ケースに回動自在に緩嵌され、上述のように角孔５ａ１に角芯棒が嵌挿されることによってレバーハンドルの回転に連動する一方、レバーハンドルが操作されていないときには、後述するメインスプリング７の付勢力により、突条５ｂの一方面５ｂ１がケース本体４の、同図では右下隅に固定されたブロック６の側面に当接するようになっている。
【０００９】
上記ブロック６に対向する態様でメインスプリング７が配設され、当該メインスプリング７の一方のスプリング座が、スプリングリテーナ８を介して取付板４ａに配される一方、その他方のスプリング座には、球状部材９が添着され、この球状部材９が突条５ｂの他方面５ｂ２に当接してメインスプリング７の付勢力を突条５ｂに付与しており、このため、突条５ｂは、上述のように、レバーハンドルが操作されていないときには、その一方面５ｂ１がブロック６の側面に当接する状態になっている。
【００１０】
カム体５の各アーム５ｃの先端部は、下記ラッチ体１０に、その径小円筒状脚部１０ｃを挟持する態様で連結され、したがって、カム体５の回転に伴なうアーム５ｃの移動によって、ラッチ体１０が移動するようになる。
ところで、上記ラッチ体１０は、径大円筒体を斜めに切断し、且つ、平取り加工が施された頭部１０ａ、及びこれに連接する径中円筒状胴部１０ｂ、径小円筒状脚部１０ｃ、当該脚部１０ｃの軸端に設けられた鍔１０ｄからなり、当該ラッチ体１０の脚部１０ｃが、上述のように各アーム５ｃの先端部により挟持され、各アーム５ｃの先端部が当該ラッチ体１０の鍔１０ｄに当接しており、レバーハンドル操作によってカム体５が時計方向に回転すると、アーム５ｃの先端部が鍔１０ｄに作用してラッチ体１０をケース本体４内に没入移動させる（図３参照）。
【００１１】
上記ラッチ体１０には、ラッチ体スプリング１１が配設され、当該ラッチ体スプリング１１の一方のスプリング座が、ラッチ体１０の頭部１０ａの端面に配される一方、その他方のスプリング座は、ケース本体４の略中央に固着された略「し」字状板部材１２の長板１２ａに配され、レバーハンドルが操作されていないときは、図１のようにラッチ体スプリング１１の付勢力によってラッチ１０の頭部１０ａがケース本体４から突出する状態となり、当該頭部１０ａは、扉２が閉じられているときは、当該扉２が配設される枠体の受け金具（図示せず）に収容されている。尚、板部材１２の短板１２ｂは、レバーハンドルが操作されていないときはアーム５ｃに当接していて、カム体５の反時計方向への回転を阻止するストッパの役目を果たす。
【００１２】
本扉錠１は、このようなカム体５やラッチ体１０などが配設された取付金具３に組み込まれており、図１に加え図２を参照して説明する。
本扉錠１は、サムターン（図示せず）に連動する錠カム（可動片）１３と、この錠カム１３の回転によりカム体５のカム運動を妨げるロック体１４とから構成されている。
このうち錠カム１３は、図２に示すように、扁平の円筒状基板１３ａと、この基板１３ａ上に偏心して固着される、当該基板１３ａに対し１／２直径の細長円筒体１３ｂと、この基板１３ａ上で、同図では上記円筒体１３ｂの下方に位置するところに略三日月形の突条を立設するとともに、この突条を円筒体１３ｂ側で、基板１３ａ上から延出させて形成されたアーム１３ｃとで構成される。そして、円筒体１３ｂには、サムターンの矩形状棒（図示せず）が挿通される矩形孔１３ｂ１が穿設される一方、アーム１３ｃの上記延出側先端に、円筒体１３ｂに平行をなして小円筒軸１３ｃ１が突設されている。
【００１３】
これに対し、ロック体１４は、図２に示すように、薄肉の略Ｃ字状部材１４ａと肉厚の略逆Ｃ字状部材１４ｂとを上方で離隔するように合体させ、合体した部材１４ａ，１４ｂ間に楕円形状の貫通穴１４ｃが形成されるようにするとともに、部材１４ｂの上下方向の長さは、部材１４ａのそれよりいくらか長くなっていて、長くなった部材１４ｂの下部から部材１４ａの方向に底板１４ｂ１が突設されたような形態をなしている。尚、部材１４ｂの下部に矩形状溝１４ｂ２が設けられている。
【００１４】
このような錠カム１３とロック体１４に対し、両者間の動きを仮止めする形態として、図２では、２通りの方法がまとめて描かれている。即ち、錠カム１３とロック体１４間を離脱可能なように仮止めしたもの、及び、錠カム１３とケース本体４間を離脱可能なように仮止めし、間接的に錠カム１３とロック体１４間を仮止めしたものである。
【００１５】
錠カム１３とロック体１４間を離脱可能なように仮止めしたものは、錠カム１３に対しては、その基板１３ａの、本実施の形態では円筒体１３ｂとは反対側に位置する外周面上に当該基板１３ａの中心軸に平行に、矩形状の板部材１５ａに円筒部材１５ｂが添設されたような張出片１５を設け、ロック体１４に対しては、その貫通穴１４ｃの内壁面近傍に断面視略円形状の細長い溝１６ａを当該貫通穴１４ｃの楕円中心軸に平行に設けるとともに、当該内壁面に上記溝１６ａに臨むスリット１６ｂを設け、錠カム１３をロック体１４に配設する際には、張出片１５を溝１６ａ及びスリット１６ｂに嵌挿させて両者間を仮止めする。このように仮止めされた錠カム１３とロック体１４をケース本体４に配設するときは、図１に示すように、錠カム１３は、その矩形孔１３ｂ１がサムターンの矩形状棒によって挿通されるとともに、その基板１３ａがロック体１４の部材１４ｂの内壁面に接するように配設され、また、ロック体１４は、その部材１４ａがケース本体４に立設されたガイド板１７に軽く当接されるとともに、その矩形状溝１４ｂ２にケース本体４に立設されたガイド板１８が緩嵌されるように配設される。そして、錠カム１３は、そのコイル部１９ａをケース本体４に立設された円筒支柱２０に係止し、そのコイル部１９ｂを当該錠カム１３の小円筒軸１３ｃ１に係止したコイルバネ１９により、ロック体１４の部材１４ｂの内壁面を介して当該ロック体１４を同図中の矢印方向に付勢しており、このときロック体１４は、当該ロック体１４の移動位置の最上位置に停留している。尚、コイル部１９ｃは、拘束されていない。
このようにして錠カム１３とロック体１４間の動きが仮止めされている場合には、例えば何らかの原因で衝撃を受けてもロック体１４が上記矢印方向と反対方向に移動するようなことはない。
【００１６】
また、錠カム１３とケース本体４間を離脱可能なように仮止めし、間接的に錠カム１３とロック体１４間を仮止めしたものは、錠カム１３に対しては、そのアーム１３ｃの上記延出側先端の外周端面上に、小円筒軸１３ｃ１の中心軸に平行をなし、矩形状の板部材２１ａに円筒部材２１ｂが添設されるとともに、円筒部材２１ｂの両端が板部材２１ａから突出している張出片２１を設け、ケース本体４に対しては、上記円筒部材２１ｂに対応して当該ケース本体４の所定位置に貫通穴２２を設け、錠カム１３をロック体１４に配設する際に、張出片２１の一部を貫通穴２２に嵌挿させて両者間を仮止めして、間接的に錠カム１３とロック体１４間を仮止めする。このように仮止めされた錠カム１３とロック体１４は、上記と同様な態様でケース本体４に配設される。この場合、錠カム１３とロック体１４間は間接的にではあるが仮止めされているために、例えば何らかの原因で衝撃を受けてもロック体１４が上記矢印方向と反対方向に移動するようなことはない。
【００１７】
本扉錠１及びこれを組み込んだ取付金具３の動作について説明する。
最初に、本扉錠１が使用されないときの取付金具３の動作について図１及び３を参照して簡単に説明する。このときは、錠カム１３とロック体１４間は仮止めされ、ロック体１４は、その移動位置の最上位置に停留している。
レバーハンドルが操作されていないときには、取付金具３は、図１の状態にある。即ち、レバーハンドルに連動するカム体５は、メインスプリング７の付勢力を受けてブロック６に当接するとともに、板部材１２の短板１２ｂに当接し、ラッチ体１０は、ラッチ体スプリング１１の付勢力を受けてケース本体４から突出している。しかるに、レバーハンドルが所定方向に回転操作されると、取付金具３は、図３の状態に移行する。即ち、レバーハンドルに連動するカム体５は、メインスプリング７、及びラッチ体スプリング１１の付勢力に抗してラッチ体１０を同図中の矢印方向に移動させ、ケース本体４内に没入移動させる。レバーハンドルの回転操作を解放すると、図３の状態が図１の状態に移行することはもちろんである。
本扉錠１は、上述のように使用されないときはもとより、扉錠無しタイプの扉に当該取付金具３を取り付けても、錠カム１３とロック体１４間が直接或いは間接的に仮止めされているために、ロック体１４は、その移動位置の最上位置に停留しており、レバーハンドルの回転操作によりラッチ体１０をケース本体４内に没入移動させることに支障は生ぜず、扉錠無しタイプの扉に流用できる。
【００１８】
次に、本扉錠１が使用されたときの取付金具３の動作について図１，２及び４を参照して説明する。尚、図４では、錠カム１３とロック体１４間を離脱可能なように仮止めさせたものの場合と、錠カム１３とケース本体４間を離脱可能なように仮止めし、間接的に錠カム１３とロック体１４間を仮止めしたものの場合との両方での動作がまとめて描かれている。
まず、本扉錠１において、錠カム１３とロック体１４間を離脱可能なように仮止めさせたものの場合について説明する。
錠カム１３とロック体１４間が仮止めされているために（図１の状態）、最初の使用に際しては、サムターンに対しコイルバネ１９に抗する力に下記破断に要する力を加味した力を加えて時計方向に回転すると、錠カム１３は、張出片１５の板部材１５ａとの付根のところで破断してロック体１４から離脱するようになるために、サムターンに連動する錠カム１３の回転に伴なってロック体１４は、ガイド板１７，１８に案内されて下方向に移動し、錠カム１３が時計方向にほぼ９０゜回転したところで当該ロック体１４の移動位置の最下位置に達する（図４の状態）。このとき、レバーハンドルは、回転操作されても、カム体５のアーム５ｃ先端がロック体１４の底板１４ｂ１に当接してロックされる。
ところで、上記破断したとき、張出片１５は、ロック体１４の溝１６ａ及びスリット１６ｂに嵌挿されたままでここから脱落することはないので、不具合が生ずることはない。
【００１９】
同様にして、錠カム１３とケース本体４間を離脱可能なように仮止めし、間接的に錠カム１３とロック体１４間を仮止めしたものの場合について説明する。
この場合は、錠カム１３とロック体１４間が間接的に仮止めされているものの、最初の使用に際しては、サムターンに対しコイルバネ１９に抗する力に下記破断に要する力を加味した力を加えて時計方向に回転する。すると、錠カム１３は、張出片２１の円筒部材２１ｂとの付根のところで破断してロック体１４から離脱するようになり、上述したのと同様に、ロック体１４が最下位置に達したところでは、レバーハンドルは、回転操作されても、カム体５のアーム５ｃ先端がロック体１４の底板１４ｂ１に当接してロックされる。
ところで、上記破断したとき、円筒部材２１ｂは、ケース本体４の貫通穴２２に嵌挿されたままで当該貫通穴２２から脱落することはないので、上記同様に、不具合が生ずることはない。
【００２０】
次に、本発明の第２の実施の形態に係る扉錠を図５，６を参照して説明する。
図５は、本扉錠３０が組み込まれた取付金具３１を示しているが、この取付金具３１は、上記第１の実施の形態に係る取付金具３においてその扉錠１を扉錠３０で置き換えて構成されるものである（これに伴なって、コイルバネ１９が圧縮バネ３６等に置き換えられている）。したがって、以下では、扉錠３０に関係するところのみ説明する。
本扉錠３０は、扉錠１の錠カム１３を錠スライダ（可動片）３２に（図６参照）、また、そのロック体１４をロック体３３に置き換えたものである。尚、錠スライダ３２は、錠カム１３の機能に加え、上記サムターンの機能を備えるものとなっている。
【００２１】
錠スライダ３２は、図６に示すように、細長矩形状の角棒３２ａ及び略３角柱状の摘み３２ｂ並びにこれら角棒３２ａと摘み３２ｂとの間に挟持される平板状のブラケット３２ｃで構成される。
一方、ロック体３３は、同図に示すような略直方体形状をなし、この形状の上面の略中央にＵ溝が、また、その一方側面３３ａの下方に設けられた切欠き部から他方側面３３ｂに連なるところに、上記ロック体１４の底板１４ｂ１に相当する突状部３３ｃが形成されるとともに、この突状部３３ｃが形成されたところで、その他方側面３３ｂ寄りの下方に、上記ロック体１４の矩形状溝１４ｂ２と同一の矩形状溝３３ｃ１が設けられている。そして、直方体形状の略中央で、上記Ｕ溝の真下方に挿通孔３３ｄが穿設されており、この挿通孔３３ｄに錠スライダ３２の角棒３２ａが挿通される。
【００２２】
このような錠スライダ３２とロック体３３に対し、両者間の動きを仮止めする形態として、本実施の形態では、ロック体３３とケース本体４間を離脱可能なように仮止めし、間接的に錠スライダ３２とロック体３３間を仮止めしたものが例示されている。即ち、ケース本体４の適宜なところ、本実施の形態では、ケース本体４の側板４ｃに、下記張出片３４に対応した形状の小孔４ｃ１を設ける一方（図５参照）、ロック体３３に対しては、上記小孔４ｃ１の形状に対応させて、当該ロック体３３の他方側面３３ｂに矩形状の板部材３４ａに円筒部材３４ｂが添設されたような張出片３４を設け、この張出片３４が小孔４ｃ１に嵌挿されるようにした仮止め態様を採っている。このようにして仮止めされた錠スライダ３２とロック体３３は、上述のように、錠スライダ３２の角棒３２ａがロック体３３の挿通孔３３ｄに挿通される一方、ロック体３３の一方側面３３ａに設けられた二つの凹溝３３ａ１，３３ａ２のうちの凹溝３３ａ１に球状部材３５が係止される。かかる球状部材３５は、ロック体３３の側面３３ａに垂設する態様で配設された圧縮バネ３６の付勢力により、ロック体３３の側面３３ｂをケース本体４の側板４ｃに押し当てる。このとき、ロック体３３の矩形状溝３３ｃ１には上記ガイド板１８が緩嵌されている。尚、３７は、圧縮バネ３６の座屈などを防止するために、当該圧縮バネ３６に沿ってケース本体４に立設された一対の案内板である。
このようにして錠スライダ３２とロック体３３間の動きが仮止めされている場合には、例えば何らかの原因で衝撃を受けてもロック体３３が図５中の下方向に移動するようなことはない。
【００２３】
本扉錠３０及びこれを組み込んだ取付金具３１の動作について説明する。
本扉錠３０が使用されないときの取付金具３１の動作については、上記取付金具３における場合と同様であるので、その説明は割愛するが、本扉錠３０が使用されないときはもとより、扉錠無しタイプの扉に当該取付金具３１を取り付けても、錠スライダ３２とロック体３３間が仮止めされているために、レバーハンドルの回転操作によりラッチ体１０をケース本体４内に没入移動させることに支障は生ぜず、扉錠無しタイプの扉に流用できることは、上記取付金具３における場合と同様である。
【００２４】
本扉錠３０が使用されたときの取付金具３１の動作について図５を参照して説明する。
最初の使用に際しては、錠スライダ３２に対し、圧縮バネ３６の付勢力を受けた球状部材３５が凹溝３３ａ１から脱することができる程の力に下記破断に要する力を加味した力を下方向に加えると、ロック体３３は、張出片３４の板部材３４ａとの付根のところで破断してケース本体４から離脱するようになり同図中の下方向に移動し、凹溝３３ａ２に球状部材３５が係止したところでは、レバーハンドルは、回転操作されても、カム体５のアーム５ｃ先端がロック体３３の突状部３３ｃに当接してロックされる。
ところで、上記破断したとき、張出片３４は、側板４ｃの小孔４ｃ１に嵌挿されたままで当該小孔４ｃ１から脱落することはないので、上記同様に、不具合が生ずることはない。
【００２５】
尚、本発明は、例えば扉錠にロックバネを有しないもので、特開平９−２５０２５９号公報に開示の扉錠のように、ハンドル取付座にサムターンの回動を保持する機構の扉錠やバネが設けられている扉錠にあっては一層効果を発揮する。
【００２６】
【発明の効果】
本発明の扉錠によれば、移送時や施工時などの際に、ハンドルがロック状態にならないので利便性に優れ、また、扉錠付きタイプと扉錠無しタイプとに共用できるので使い勝手が向上する。
【図面の簡単な説明】
【図１】第１の実施の形態に係る扉錠が組み込まれた取付金具内の構成図である。
【図２】図１の扉錠の分解斜視図である。
【図３】図１の取付金具の、扉錠の未使用時での動作説明図である。
【図４】図１の取付金具の、扉錠の使用時での動作説明図である。
【図５】第２の実施の形態に係る扉錠が組み込まれた取付金具内の構成図である。
【図６】図５の扉錠の分解斜視図である。
【符号の説明】
１，３０                  扉錠
２                        扉
４                        ケース本体（ケース）
４ｃ１                    小孔
１３                      錠カム（可動片）
１４，３３                ロック体
１５，２１，３４          張出片
１５ａ，２１ａ，３４ａ    板部材
１５ｂ，２１ｂ，３４ｂ    円筒部材
１６ａ                    溝
１６ｂ                    スリット
２２                      貫通穴
３２                      錠スライダ（可動片）
【図１】
0003585865.tif 000002
【図２】
0003585865.tif 000003
【図３】
0003585865.tif 000004
【図４】
0003585865.tif 000005
【図５】
0003585865.tif 000006
【図６】
0003585865.tif 000007